(57)【要約】【課題】  簡単な構造で栽培手段を保持して移動させることができ、作業用通路に特別な部材を設置する必要がなく、他の作業の邪魔になることもない多段栽培装置を提供する。【解決手段】  下段の栽培容器２０を除去した後、上段の栽培容器２０を移動させる際は、該上段の栽培容器２０を保持している栽培手段保持部材６を、取り外すなどして保持位置から栽培容器２０の移動経路外へと位置変更すると共に、スライド部材５の栽培手段係合部材３を栽培容器２０に係合させ、駆動手段により、該スライド部材５を各支柱２に沿って下降させるようにした。従って、簡単な構造でありながら、栽培容器２０を保持して移動させることができ、従来と比較して製作コストを大幅に低減できる。また、作業用通路に特別な部材を設置する必要もなく、他の作業の邪魔になることもない。【選択図】  図１
2005328765.tif 000002
【特許請求の範囲】
【請求項１】
離間した一対の支持部材間の少なくとも上下２段の位置で栽培手段を支持し、各段に栽培手段を配置して所定の生育過程まで植物を栽培した後、最下段の栽培手段は除去し、上段の栽培手段を順次下段へ移動し、空所となる段に新たな栽培手段を補充配置するようにした多段栽培装置において、
前記各支持部材に沿って上下方向にスライド可能に配設され、少なくとも下段への移動時に栽培手段に係合される栽培手段係合部材と、該栽培手段の植物を誘引するための誘引棒を支持する誘引棒受け部とを備えたスライド部材と、
前記スライド部材を上下方向にスライドさせる駆動手段と、
常態においては前記各支持部材に取り付けられて栽培手段を支持すると共に、該栽培手段の下段への移動時には移動経路外へ位置変更される栽培手段保持部材と
を具備することを特徴とする多段栽培装置。
【請求項２】
前記スライド部材が、前記各支持部材に沿って上下方向にスライド可能に配設される縦部材と、前記縦部材に略直交し、支持部材の左右に突出する横部材とを有する略Ｔ字形に形成され、横部材から所定の距離離間した縦部材の下部付近に、下段への移動時に栽培手段に係合される栽培手段係合部材を備え、かつ、前記横部材の各端部付近にそれぞれ誘引棒を支持する誘引棒受け部を備えていることを特徴とする請求項１記載の多段栽培装置。
【請求項３】
前記栽培手段保持部材が、常態において、前記各支持部材に取り付けられて栽培手段を支持すると共に、前記スライド部材の下端を支持し、該栽培手段の下段への移動時には取り外される構成であることを特徴とする請求項１又は２記載の多段栽培装置。
【請求項４】
前記各支持部材に取り付けられる栽培手段保持部材は、上下方向に所定間隔をおいて２つ備えた２段式であり、
下段に配置される栽培手段を支持する栽培手段保持部材よりも上方であって、上段に位置する栽培手段保持部材の取り付け位置付近において各支持部材の左右に突出し、最下段の植物を誘引するための誘引棒を支持する誘引棒受け部を各端部付近に備えている固定アームを具備することを特徴とする請求項１〜３のいずれか１に記載の多段栽培装置。
【請求項５】
各栽培手段に給水を行うため、前記支持部材に支持させて配設される給水管を、給水位置と栽培手段の移動経路から外れる位置とに位置変更可能に設けると共に、各栽培手段の排水部からの排水を受けるため、前記支持部材に支持させて配設される排水管を設け、上段に配置される栽培手段に対応した排水管は、排水位置と栽培手段の移動経路から外れる位置とに位置変更可能にしたことを特徴とする請求項１〜４のいずれか１に記載の多段栽培装置。
【請求項６】
前記駆動手段は、前記スライド部材に一端部が取り付けられる紐部材と、前記支持部材において、スライド部材より上方位置に設けられ、該紐部材が巻き掛けられる滑車とを備えて構成され、滑車から下方に向かう前記紐部材の他端部を上下動操作して、前記スライド部材をスライドさせる構造であることを特徴とする請求項１〜５のいずれか１に記載の多段栽培装置。
【請求項７】
離間した一対の支持部材間の少なくとも２段の位置で栽培手段を支持し、各段に栽培手段を配置して所定の生育過程まで植物を栽培した後、栽培手段を順次下段に移動する多段栽培装置における栽培手段の移動方法において、
最下段を除く他の段における栽培手段を保持する栽培手段保持部材を、保持位置から栽培手段の移動経路外へと位置変更した後に、少なくとも上段の栽培手段に移動時に連結されると共に、該栽培手段用の誘引棒を支持する誘引棒受け部を備えたスライド部材を各支持部材に沿って下降させ、上段の栽培手段を誘引棒と共に下段へ移動させることを特徴とする多段栽培装置における栽培手段の移動方法。
【発明の詳細な説明】
【技術分野】
【０００１】
本発明は、多段栽培装置及び栽培手段の移動方法に関し、より詳しくは、栽培手段を上方から下方に移動して栽培し得る多段栽培装置及び栽培手段の移動方法に関する。
【背景技術】
【０００２】
近年、果菜類（ナス、トマト、キュウリ、マクワウリ等のように果実を食用とする野菜）及び果樹類の温室栽培においては、できるだけ連続的に長期にわたって安定出荷ができると共に、肥培管理が容易で、栽培作業の自動化・省力化や大規模栽培に適した多段栽培装置が知られている。多段栽培装置は、上段と下段との少なくとも２段の位置で培地が充填された栽培容器（栽培手段）を支持し、各段に栽培手段を配置して所定の生育過程まで植物を栽培した後、栽培手段を順次下段に移し、最下段の栽培手段は除去すると共に、空所となる最上段には新たな栽培手段を補充配置することを繰り返すようになっている。このような多段栽培装置は、連続的な収穫が可能となり収穫量が増大すると共に、収穫時期が一時期に集中しないため、作業労力が分散し、作業効率が向上する。かかる多段栽培装置を使用するためには、栽培手段を移動すること、特に、植物が生育して重量増加した栽培手段を下段に容易に移せることが重要な要件となり、従来では、特許文献１のような技術が提案されている。
【０００３】
この技術では、各栽培手段間に設けた作業用通路に沿って走行可能であると共に、支持部材に支持された栽培手段に離接し、かつ上下動する可動アームを備えた栽培手段移送装置を温室内に配備している。すなわち、作業用通路に沿って所定の位置まで走行した後、下段の栽培手段を除去し、可動アームを上段の栽培手段に接近させて保持したならば、一旦手前に戻し、該可動アームを下降させ、その後、可動アームを下段の支持手段に近接させ、栽培手段を下段の支持手段へ載せる構造である。
【特許文献１】特許第３２０４８６３号
【発明の開示】
【発明が解決しようとする課題】
【０００４】
しかしながら、特許文献１に示された栽培手段移送装置は、上段の栽培手段を確実に下段へと移動させることができるものの、複雑な機構であると共に、作業用通路を走行させる機構も備えていなければならないため、製作コスト、設備コストがかなり嵩む。また、作業用通路に走行可能に配置されるため、他の作業の邪魔にもなるという問題もあった。
【０００５】
本発明は上記した点に鑑みなされたものであり、簡単な構造で栽培手段を保持して移動させることができ、製作コストが安価であると共に、作業用通路に特別な部材を設置する必要もなく、他の作業の邪魔になることもない栽培手段の移動構造を備えた多段栽培装置及び栽培手段の移動方法を提供することを課題とする。
【課題を解決するための手段】
【０００６】
上記課題を解決するため、請求項１記載の本発明では、離間した一対の支持部材間の少なくとも上下２段の位置で栽培手段を支持し、各段に栽培手段を配置して所定の生育過程まで植物を栽培した後、最下段の栽培手段は除去し、上段の栽培手段を順次下段へ移動し、空所となる段に新たな栽培手段を補充配置するようにした多段栽培装置において、前記各支持部材に沿って上下方向にスライド可能に配設され、少なくとも下段への移動時に栽培手段に係合される栽培手段係合部材と、該栽培手段の植物を誘引するための誘引棒を支持する誘引棒受け部とを備えたスライド部材と、前記スライド部材を上下方向にスライドさせる駆動手段と、常態においては前記各支持部材に取り付けられて栽培手段を支持すると共に、該栽培手段の下段への移動時には移動経路外へ位置変更される栽培手段保持部材とを具備することを特徴とする多段栽培装置を提供する。
請求項２記載の本発明では、前記スライド部材が、前記各支持部材に沿って上下方向にスライド可能に配設される縦部材と、前記縦部材に略直交し、支持部材の左右に突出する横部材とを有する略Ｔ字形に形成され、横部材から所定の距離離間した縦部材の下部付近に、下段への移動時に栽培手段に係合される栽培手段係合部材を備え、かつ、前記横部材の各端部付近にそれぞれ誘引棒を支持する誘引棒受け部を備えていることを特徴とする請求項１記載の多段栽培装置を提供する。
請求項３記載の本発明では、前記栽培手段保持部材が、常態において、前記各支持部材に取り付けられて栽培手段を支持すると共に、前記スライド部材の下端を支持し、該栽培手段の下段への移動時には取り外される構成であることを特徴とする請求項１又は２記載の多段栽培装置を提供する。
請求項４記載の本発明では、前記各支持部材に取り付けられる栽培手段保持部材は、上下方向に所定間隔をおいて２つ備えた２段式であり、下段に配置される栽培手段を支持する栽培手段保持部材よりも上方であって、上段に位置する栽培手段保持部材の取り付け位置付近において各支持部材の左右に突出し、最下段の植物を誘引するための誘引棒を支持する誘引棒受け部を各端部付近に備えている固定アームを具備することを特徴とする請求項１〜３のいずれか１に記載の多段栽培装置を提供する。
請求項５記載の本発明では、各栽培手段に給水を行うため、前記支持部材に支持させて配設される給水管を、給水位置と栽培手段の移動経路から外れる位置とに位置変更可能に設けると共に、各栽培手段の排水部からの排水を受けるため、前記支持部材に支持させて配設される排水管を設け、上段に配置される栽培手段に対応した排水管は、排水位置と栽培手段の移動経路から外れる位置とに位置変更可能にしたことを特徴とする請求項１〜４のいずれか１に記載の多段栽培装置を提供する。
請求項６記載の本発明では、前記駆動手段は、前記スライド部材に一端部が取り付けられる紐部材と、前記支持部材において、スライド部材より上方位置に設けられ、該紐部材が巻き掛けられる滑車とを備えて構成され、滑車から下方に向かう前記紐部材の他端部を上下動操作して、前記スライド部材をスライドさせる構造であることを特徴とする請求項１〜５のいずれか１に記載の多段栽培装置を提供する。
請求項７記載の本発明では、離間した一対の支持部材間の少なくとも２段の位置で栽培手段を支持し、各段に栽培手段を配置して所定の生育過程まで植物を栽培した後、栽培手段を順次下段に移動する多段栽培装置における栽培手段の移動方法において、最下段を除く他の段における栽培手段を保持する栽培手段保持部材を、保持位置から栽培手段の移動経路外へと位置変更した後に、少なくとも上段の栽培手段に移動時に連結されると共に、該栽培手段用の誘引棒を支持する誘引棒受け部を備えたスライド部材を各支持部材に沿って下降させ、上段の栽培手段を誘引棒と共に下段へ移動させることを特徴とする多段栽培装置における栽培手段の移動方法を提供する。
【発明の効果】
【０００７】
本発明は、各支持部材に沿って上下方向にスライド可能に配設され、少なくとも下段への移動時に栽培手段に係合される栽培手段係合部材と、該栽培手段の植物を誘引するための誘引棒受け部とを備えたスライド部材を備えている。また、上段に配置される栽培手段は、常態においては各支持部材に取り付けられる栽培手段保持部材により支持される。
【０００８】
従って、下段の栽培手段を除去した後、上段の栽培手段を移動させる際は、該上段の栽培手段を保持している栽培手段保持部材を、例えば取り外すなどして保持位置から栽培手段の移動経路外へと位置変更すると共に、例えば、スライド部材の栽培手段係合部材を該栽培手段に係合させ、駆動手段により、該スライド部材を各支持部材に沿って下降させればよい。スライド部材は、上段に配置されていた栽培手段用の誘引棒を支持する誘引棒受け部も有しているため、上記操作により、上段に配置されていた栽培手段は誘引棒と共に下降される。下降させた後は、当該誘引棒を下段用の誘引棒受け部に移し替え、スライド部材を再上昇させて常態位置に復帰させる。なお、スライド部材を再上昇させる際に、上段用の新たな誘引棒を該スライド部材の誘引棒受け部に支持させれば、上段用の誘引棒の配置作業も容易に行うことができる。
【０００９】
この結果、本発明によれば、簡単な構造でありながら、栽培手段を保持して移動させることができ、従来と比較して製作コストを大幅に低減できる。また、作業用通路に特別な部材を設置する必要もなく、他の作業の邪魔になることもない。
【発明を実施するための最良の形態】
【００１０】
以下、図面に示した実施形態に基づき本発明をさらに詳細に説明する。図１及び図２は、本実施形態にかかる多段栽培装置１の側面図及び正面図である。本実施形態の多段栽培装置１は、離間した一対の支持部材としての支柱２と、該支柱２に支持されるスライド部材５と、該スライド部材５をスライドさせる駆動手段と、栽培手段としての栽培容器２０を支持する栽培手段保持部材６とを備えて構成される。また、本実施形態では、上下に２段の位置で栽培手段である栽培容器２０を支持可能な構成である。
【００１１】
支柱２は、所定距離離間して対向するように設けられ、スライド部材５は、各支柱２に沿って上下方向にスライド可能に配設される。スライド部材５は、少なくとも下段への移動時に栽培容器２０に係合される栽培手段係合部材３と、該栽培容器２０の植物を誘引するための誘引棒４を支持する誘引棒受け部５ａとを備えている。
【００１２】
スライド部材５は、各支柱２の対向面に形成された縦溝２ａに沿って上下方向にスライド可能に配設される縦部材５Ａと、この縦部材５Ａに略直交し、支柱２の左右に突出する横部材５Ｂとを有する略Ｔ字形に形成される。なお、図示しないが、スライド部材５の縦部材５Ａの裏面には、上下に離間して２つの回転ローラが設けられ、これらの回転ローラが前記各支柱２の対向面に形成された縦溝２ａに挿入され、スライド可能になっている。縦溝２ａに沿ってスライド可能である限り、必ずしも回転ローラを有していなくてもよいことはもちろんである。
【００１３】
栽培手段係合部材３は、スライド部材５における縦部材５Ａと横部材５Ｂとの交差位置から、所定の距離離間した縦部材５Ａの下部付近に取り付けられる。栽培容器２０の長手方向の両端外面には、略Ｌ字形の係合爪２０ａが取り付けられており、栽培手段係合部材３の係合部３ａが上記係合爪２０ａに係合し得るようになっている。具体的には、スライド部材５を、支柱２の上段に位置させている際に、該上段に位置する栽培容器２０の係合爪２０ａに係合可能な位置に栽培手段係合部材３が設けられる。栽培手段係合部材３は、スライド部材５に取り付けられ、スライド部材５と共に上下動するものであり、栽培容器２０は常態においては後述の栽培手段保持部材６により支持されており、栽培手段係合部材３は、スライド部材５を下方に移動させる際に栽培容器２０の係合爪２０ａに係合可能に構成されていればよいが、常態においても栽培手段係合部材３を係合爪２０ａに係合させておいてもよい。
【００１４】
一方のスライド部材５の横部材５Ｂの各端部付近に設けられる誘引棒受け部５ａ（図１の左側）と、これに対向して配置されるスライド部材５の横部材５Ｂの各端部付近に設けられる誘引棒受け部５ａ（図１の右側）との間には、それぞれ誘引棒４が掛け渡されて配設される。誘引棒４には、紐部材などが取り付けられており、この紐部材と植物の茎とをクリップなどにより連結することにより、植物を誘引する。
【００１５】
スライド部材５を上下方向にスライドさせる駆動手段は、本実施形態においては、対向して配置された各スライド部材５の縦部材５Ａに突出して設けられたロープ掛け部５ｂに一端部が掛けられる紐部材としてのロープ７と、各支柱２において、スライド部材５より上方位置に設けられ、該ロープ７が巻き掛けられる滑車８とを備えて構成され、各滑車８から下方に向かう各ロープ７の他端部を上下動操作して、各スライド部材５をスライドさせる。より具体的には、図１の左側に示した一方のスライド部材５を支持する一方のロープ７は一方の滑車８に巻き掛けられた後、一方の支柱２に沿って下方に向かうと共に、図１の右側に示した他方のロープ７は他方の滑車８に巻き掛けられた後、略水平に延びて左側に位置する一方の滑車８の上に掛けられた後、下方に向かい上記一方のロープ７と結束されている。これにより、使用時には、２本のロープ７を一緒に上下動操作できる。
【００１６】
栽培手段保持部材６は、略Ｌ字形に形成された板状部材からなり、各支柱２に取り付けた取り付け金具２ｂと該支柱２の各対向面との間の隙間に、一方の板部が抜き差し可能に挿入されて、他方の板部を対向する支柱２方向に突出させて取り付けられる。栽培手段保持部材６の他方の端部に栽培容器２０の長手方向端部付近の底面が載置されて支持される。本実施形態では、上下２段で栽培を実施するものであり、この栽培手段保持部材６は、支柱２に沿って上下に所定距離離間して取り付けられている。離間距離は任意であり、栽培する植物の種類などによって適宜に決定できるが、より下段の栽培容器２０で生長した植物の生育に影響のない程度は離間させる。
【００１７】
栽培容器保持部材６は、上記のように栽培容器２０の底面を支持するものであるため、上段に配置した栽培容器２０を下降させる際には、邪魔になる。このため、その移動経路外に位置変更させるために取り付け金具２ｂに対して抜き差し可能に設けられている。但し、移動経路外へ位置変更できればよいため、抜き差し可能な構成とするのではなく、例えば、支柱２に蝶番を介して固定するなどして、回転させて移動経路外へ位置変更する構成とすることも可能である。また、下段（最下段）に配置された栽培容器２０を支持する栽培手段保持部材６は、上段の栽培容器２０を下降させる際の障害とならないため、各支柱２から取り外し可能とせず、固定して設けることもできる。なお、栽培手段保持部材６には、各栽培容器２０の後述するように排水が通過する孔部６ｂが設けられている。
【００１８】
また、栽培容器保持部材６は、上記したスライド部材５の縦部材５Ａの下端が接触し、該スライド部材５を支持する機能を有している。この結果、スライド部材５の縦部材５Ａの長さによって、栽培容器２０からスライド部材５の横部材５Ｂに支持される誘引棒４までの高さが決定されることになる。
【００１９】
さらに、各支柱２にはそれぞれ該支柱２の左右に突出し、各端部付近に誘引棒受け部９ａを備えた固定アーム９が取り付けられている。固定アーム９は、下段に配置される栽培容器２０で生長している植物を誘引するための誘引棒４を支持するものであり、下段の栽培手段保持部材６よりも上方であって、上段に位置する栽培手段保持部材６の取り付け位置付近に配設される。好ましくは、上段の栽培容器２０を下降させて下段の栽培手段保持部材６上に配置した際に、当該下降させた栽培容器２０に対応するスライド部材５に支持された誘引棒４を、容易に固定アーム９に設けた誘引棒受け部９ａに移すことができる位置に設けられる。すなわち、下段の栽培手段保持部材６から固定アーム９までの高さは、スライド部材５の縦部材５Ａの下端から横部材５Ｂまでの長さとほぼ同じに設定することが好ましい。また、スライド部材５と共に上段の栽培容器２０に対応する誘引棒４が下降した際には、該誘引棒４を支持する横部材５Ｂと固定アーム９との接触を回避するため、横部材５Ｂの左右突出長さは、固定アーム９の左右突出長さよりも若干短い構成とすることが好ましい。
【００２０】
一方、各栽培容器２０には、給水受け部１０と該給水受け部１０に一端が連結されて、栽培容器２０の長手方向に延びる水供給管１１とが設けられており、該水供給管１１に設けられた複数の孔から、栽培容器２０内に充填される培地（ポット）２１に給水される構成となっている。栽培容器２０の給水受け部１０に給水を行うため、支柱２に給水管１２が支持される。給水管１２は支柱２の外面に沿って設けられ、一端１２Ａが給水受け部１０の上方位置に臨み、給水受け部１０に向けて給水可能となっている。給水管１２の一端１２Ａは回転可能となっており、給水位置と栽培容器２０の移動経路から外れる位置とに回転して位置変更可能となっている。
【００２１】
各栽培容器２０の底部の一方の端部には排水部が設けられ、この排水部からの排水を受けるため、支柱２に支持される排水管１４，１５が設けられている。上段に設置される栽培容器２０に対応して設けられた排水管１４は、支柱２の外面に沿って設けられており、一端１４Ａが受け皿状に形成され、上記した栽培手段保持部材６の孔部６ｂを介して排出される排水を受ける。また、排水管１４の一端１４Ａは回転可能となっており、排水位置と栽培容器２０の移動経路から外れる位置とに回転して位置変更可能となっている。なお、下段に設置される栽培容器２０に対応して設けられた排水管１５も上記と同様に回転可能な構成となっていてもよいが、上段の栽培容器２０を下降させる際に邪魔にならないため、下段の栽培手段保持部材６の孔部６ｂに対応させて固定して設ければよい。
【００２２】
かかる多段栽培装置１は、支柱２を温室の一方向（例えば、長手方向）に沿って所定間隔毎に直線状に複数配設すると共に、これと直交する方向（例えば、横方向）にも並列して複数列で設置する。栽培容器２０は、上段の栽培手段保持部材６と下段の栽培手段保持部材６とにそれぞれ支持されて配設される。また、スライド部材５は縦部材５Ａの下端が上段の栽培手段保持部材６に接する位置にセットされている。また、スライド部材５の横部材５Ｂの誘引棒受け部５ａ及び固定アーム９の誘引棒受け部９ａには、それぞれ対向する誘引棒受け部５ａ，９ａとの間に誘引棒４が支持されており、紐部材などを介して各栽培容器２０で生長している植物に連結されている。なお、下段の栽培容器２０において、例えば、果実の収穫期に入った植物が栽培されているとすると、上段の栽培容器２０では育苗終了後の苗や収穫期に至る前の植物が栽培されるように、生育段階が互いに異なるようにセットする。
【００２３】
このような状態では、各給水管１２の一端１２Ａは、各栽培容器２０の給水受け部１０の上方位置に臨んでいると共に、各排水管１４，１５の一端も栽培手段保持部材６の孔部６ｂの下方に臨んでいる。
【００２４】
そして、例えば、下段の植物の収穫が終了したならば、まず、下段の栽培容器２０に対応する固定アーム９に支持された誘引棒４を取り外し、下段の栽培手段保持部材６上から下段の栽培容器２０を除去する。
【００２５】
次に、上段の栽培容器２０を下降させる。具体的には、各給水管１２の一端１２Ａ及び上段用の排水管１４の一端１４Ａをそれぞれ回転させ、上段の栽培容器２０が下降する際の移動経路外へと位置変更し、スライド部材５に設けた栽培手段係合部材３の係合部３ａを上段の栽培容器２０の係合爪２０ａに係合させる。次に、各ロープ７の他端部を下方向に引っ張り、上段の栽培容器２０を僅かに上昇させ、該栽培容器２０を支持している栽培容器保持部材６を支柱２から取り外す。その後、各ロープ７を緩める操作をして該栽培容器２０を下降させる。栽培容器２０の底面が下段の栽培手段保持部材６に接すると、スライド部材５の下端も該栽培手段保持部材６に接し、スライド部材５の横部材５Ｂに支持されている誘引棒４が固定アーム９付近に至る。そこで、当該誘引棒４を横部材５Ｂの誘引棒受け部５ａから外し、固定アーム９の誘引棒受け部９ａに移す。これにより、上段の栽培容器２０が下段に移される。
【００２６】
次に、下降しているスライド部材５の横部材５Ｂにおいて空所となった誘引棒受け部５ａに新たな誘引棒４を支持させ、各ロープ７の他端部を下方に引っ張り、新たな誘引棒４を支持させたスライド部材５を上昇させ、上段の栽培手段保持部材６の取り付け位置を超えたならば、取り外していた該上段の栽培手段保持部材６を支柱２に取り付け、各ロープ７を緩める。これにより、再び、スライド部材５の下端が上段の栽培手段保持部材６に接して支持される。そして、空所となっている上段の栽培手段保持部材６には、育苗の終了した苗を保持させた新たな栽培容器２０を適宜のタイミングで載せる。この新たな栽培容器２０で栽培されている苗が所定の生育段階に至った場合には誘引の必要が生じるが、この際、本実施形態によれば、既に、スライド部材５が誘引棒４を保持しているため、該誘引棒４から垂れ下げられた紐部材に、クリップで茎を連結するだけでよい。その後は、上記した動作を繰り返す。
【００２７】
本実施形態によれば、上段の栽培容器２０を下降させるに当たっては、スライド部材５を下降させるだけでよいため、従来と比較し、極めて簡易な構成で多段栽培装置における移動機構を提供できた。
【図面の簡単な説明】
【００２８】
【図１】図１は、本発明の一実施形態に係る多段栽培装置の側面図である。
【図２】図２は、上記実施形態の多段栽培装置の正面図である。
【符号の説明】
【００２９】
１  多段栽培装置
２  支柱
３  栽培手段係合部材
４  誘引棒
５  スライド部材
６  栽培手段保持部材
７  ロープ
８  滑車
９  固定アーム
１２  給水管
１４  排水管
１５  排水管
２０  栽培容器
【図１】
2005328765.tif 000003
【図２】
2005328765.tif 000004